(57)【要約】      （修正有）【課題】水上浮動タイプのソーラーパネルの固定構造を提供する。【解決手段】固定アンカーブイ１、踏み用アンカーブイ２及び固定部品３からなる水上浮動タイプのソーラーパネルの固定構造で、固定アンカーブイの頂面を斜面に設け、上下端の縁には二つのネジ１１を設け、ネジはソーラーパネルの枠を通り、ナット１２によりソーラーパネルを固定アンカーブイに螺接する。固定アンカーブイの四端の角には接続用凸部１３を設け穴を設け、踏み用アンカーブイは固定アンカーブイの前後の辺に設け頂面に滑り防止面２０を設ける。踏み用アンカーブイの四端角には接続用凸部２１を設け穴を設け、接続用凸部は固定アンカーブイの接続用凸部と互いに対応して設置する。固定部品を互いに対応する固定アンカーブイの穴及び踏み用アンカーブイの穴内に通し、両アンカーブイを螺接することで、ソーラーパネルを安定して水面上に固定する。【選択図】図１
0003211453.tif 000002
【実用新案登録請求の範囲】
【請求項１】
主に固定アンカーブイ、踏み用アンカーブイ及び固定部品を含み、
該固定アンカーブイの頂面を斜面に設け、該斜面の上下端の縁にはそれぞれ少なくとも二つのネジを設け、該ネジはソーラーパネルの枠を通り、該ネジの上にナットを設け、該ナットにより該ソーラーパネルを安定して該固定アンカーブイに螺接し、該固定アンカーブイの四端の角にはそれぞれ一つの接続用凸部を設け、該固定アンカーブイの接続用凸部の上にそれぞれ一つの穴を設け、該踏み用アンカーブイは該固定アンカーブイの前と後ろの辺に設け、該踏み用アンカーブイの頂面に滑り防止面を設け、該踏み用アンカーブイの四端角にはそれぞれ一つの接続用凸部を設け、該踏み用アンカーブイの接続用凸部にそれぞれ一つの穴を設け、該踏み用アンカーブイの接続用凸部は該固定アンカーブイの接続用凸部と互いに対応して設置し、該固定部品を互いに対応する該固定アンカーブイの穴及び該踏み用アンカーブイの穴内に通し、且つ該固定アンカーブイと該踏み用アンカーブイは螺接することを特徴とする水上浮動タイプのソーラーパネルの固定構造。
【考案の詳細な説明】
【技術分野】
【０００１】
本考案は一種の水上浮動タイプのソーラーパネルにおける固定構造に関し、特にソーラーパネルをしっかりと水面上に固定できる固定構造に関する。
【背景技術】
【０００２】
ソーラーパネルは太陽の光を吸収して熱エネルギー或いは電気エネルギーに転換し、日常生活の電気として使用することができる。一般的なソーラーパネルの多くは、日照が充分な建物の屋根、屋上或いは平らな台に設置している。ソーラー発電の主な欠点は、設置するのに大きなスペースが必要であることである。建物の空間は限られており、大面積且つ大範囲での設置はできない。
広大な水域空間を使って、ソーラーパネルを水面上に設置すれば、設置空間の不足問題を解決することができる。しかし、従来のソーラーパネルを水面に設置するための固定構造は、まずソーラーパネルをスタンドに固定し、更にスタンドの底部に円柱状のアンカーブイを設置し、アンカーブイを介して、スタンドとソーラーパネルを水面で浮動させる。しかし、従来技術の固定構造の部品が多く、重量が重く、組み立てが面倒であり、時間も手間もかかることを鑑みて、更なる改善が必要であった。
【先行技術文献】
【特許文献】
【０００３】
【特許文献１】実用新案登録第３１８６６４３号公報
【考案の概要】
【考案が解決しようとする課題】
【０００４】
前記公知構造の欠点を解決するために、本考案は従来技術であるソーラーパネルを水面に設置する際に存在する問題点を有効的に解決する水上浮動タイプのソーラーパネルの固定構造を提供することを主な課題とする。
【課題を解決するための手段】
【０００５】
上述の目的を解決するために、本考案は水上浮動タイプのソーラーパネルの固定構造を提供するものである。主に固定アンカーブイ、踏み用アンカーブイ及び固定部品で構成する。該固定アンカーブイの頂面を斜面に設け、該斜面の上下端の縁にはそれぞれ少なくとも二つのネジを設け、該ネジはソーラーパネルの枠を通り、該ネジの上にナットを設ける。該ナットにより該ソーラーパネルを安定して該固定アンカーブイに螺接する。
該固定アンカーブイの四端の角にはそれぞれ一つの接続用凸部を設け、該固定アンカーブイの接続用凸部の上にそれぞれ一つの穴を設ける。該踏み用アンカーブイは該固定アンカーブイの前と後ろの辺に設け、該踏み用アンカーブイの頂面に滑り防止面を設ける。該踏み用アンカーブイの四端角にはそれぞれ一つの接続用凸部を設ける。該踏み用アンカーブイの接続用凸部にそれぞれ一つの穴を設ける。該踏み用アンカーブイの接続用凸部は該固定アンカーブイの接続用凸部と互いに対応して設置する。該固定部品を互いに対応する該固定アンカーブイの穴及び該踏み用アンカーブイの穴内に通し、且つ該固定アンカーブイと該踏み用アンカーブイは螺接する。
【０００６】
本考案の水上浮動タイプのソーラーパネルにおける固定構造において、該固定アンカーブイの穴と該踏み用アンカーブイの穴は方形状に設置する。
【０００７】
本考案の水上浮動タイプのソーラーパネルにおける固定構造において、該踏み用アンカーブイの滑り防止面は網状に設ける。
【０００８】
本考案の水上浮動タイプのソーラーパネルにおける固定構造において、該固定部品はネジ及びナットで組成し、該ネジの上部に方形状の定位体を設け、該ネジの定位体は互いに対応する該固定アンカーブイの穴、及び該踏み用アンカーブイの穴内に通し、更に該ナットを該ネジに螺接し、該固定アンカーブイと該踏み用アンカーブイを螺接する。
【０００９】
本考案の水上浮動タイプのソーラーパネルにおける固定構造において、そのメリットは：構造がシンプルで、組立便利、素早く、ソーラーパネルを安定して水面上に固定することができ、土地のスペースを占用しない。また、作業スタッフが水面上で歩くのに便利且つ、便利に検査及びメンテナンス作業を行うことができる。
【考案の効果】
【００１０】
本考案のデザインにより、ソーラーパネルの構造はシンプル、素早く組み立てることができ、土地のスペースを占用することなく、安定して水面上に固定することができる。また、作業スタッフが水面上で歩くのに便利且つ、便利に検査及びメンテナンス作業を行うことができる。
【図面の簡単な説明】
【００１１】
【図１】本考案実施例の立体分解図である。
【図２】本考案実施例の立体組立図である。
【図３】本考案実施例の使用略図である。
【図４】本考案実施例のネジとナットをソーラーパネルの枠に螺接する略図である。
【考案を実施するための形態】
【００１２】
以下、本考案の構造と特徴および効果を、最良実施例と図面を参照しながら詳細に説明する。
【実施例】
【００１３】
図１に示すように、主に固定アンカーブイ１、踏み用アンカーブイ２及び固定部品３で構成する。該固定アンカーブイの頂面を斜面１０に設け、該斜面１０の上下端の縁にはそれぞれ少なくとも二つのネジ１１を設け、該ネジ１１の上にナット１２を設ける。該固定アンカーブイ１の四端の角にはそれぞれ一つの接続用凸部１３を設け、該接続用凸部１３の上にそれぞれ一つの方形状の穴１４を設ける。該踏み用アンカーブイ２は該固定アンカーブイ１の前と後ろの辺に設け、該踏み用アンカーブイ２の頂面に網状の滑り防止面２０を設ける。
該踏み用アンカーブイ２の四端角にはそれぞれ一つの接続用凸部２１を設ける。該接続用凸部２１にそれぞれ一つの方形状の穴２２を設ける。該踏み用アンカーブイ２の接続用凸部２１は該固定アンカーブイ１の接続用凸部１３と互いに対応して設置し、該固定部品３はネジ３０及びネット３１で構成する。
該ネジ３０の上部に方形状の定位体３００を設け、該ネジ３０の定位体３００は互いに対応する該固定アンカーブイ１の穴１４と該踏み用アンカーブイ２の穴２２内に通し、更にナット３１を該ネジ３０に螺接する。そうすれば該固定アンカーブイ１と該踏み用アンカーブイ２を螺接することができ、即ち一つの水上浮動タイプのソーラーパネルにおける固定構造を形成する。
【００１４】
組み立てる際、図１、図２、図３及び図４に示すように、まず踏み用アンカーブイ２の接続用凸部２１の穴２２を固定アンカーブイ１の接続用凸部１３の穴１４と対応する。固定部品３のネジ３０を該固定アンカーブイ１の穴１４と該踏み用アンカーブイ２の穴２２内に通し、更にナット３１を該ネジ３０に螺接する。該固定アンカーブイ１を該踏み用アンカーブイ２と螺接する。
更にソーラーパネル４を固定アンカーブイ１の斜面１０の上に組立設置することで、固定アンカーブイ１のネジ１１がソーラーパネルの枠４０に通す。更にナット１２をネジ１１に螺接することで、ソーラーパネル４はしっかり固定アンカーブイ１の斜面１０に固定することで、ソーラーパネル４は一つの傾斜角度で設置する。このように固定アンカーブイ１を介し、ソーラーパネル４を支えて固定する。
更に固定アンカーブイ１の浮力を介し、ソーラーパネル４は水面上に浮動することができる。また、踏み用アンカーブイ２の排列設置を介し、作業員が水面を歩くことができ、検査及びメンテナンスの作業の際に便利である。
【００１５】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００１６】
１  固定アンカーブイ
１０  斜面
１１  ネジ
１２  ナット
１３  接続用凸部
１４  穴
２  踏み用アンカーブイ
２０  滑り防止面
２１  接続用凸部
２２  穴
３  固定部品
３０  ネジ
３００  定位体
３１  ナット
４ ソーラーパネル
４０  枠
【図１】
0003211453.tif 000003
【図２】
0003211453.tif 000004
【図３】
0003211453.tif 000005
【図４】
0003211453.tif 000006